(57)【要約】【課題】軒樋と同じ色や模様で一体に連なった外観形態の曲り継手を樹脂被覆鋼板を用いて見栄えよく構成し、且つ剛性や耐久性に優れた軒樋曲り継手を構成する。【解決手段】表面が化粧シートで覆われた樹脂被覆鋼板を折り曲げて、平面視略Ｌ字状に屈曲した底壁１１と、底壁１１の内外縁部から上方へ立ち上がった内外側壁１２、１３とを有し、両端に軒樋Ｂが接続される継手部１ａ、１ａを設けてなる縦断面略Ｕ字状の継手本体１を形成し、この継手本体１の両継手部１ａ、１ａの端部に周壁縁部を内側へ折り返してなる重合部１ｂ、１ｂを設けるとともに、軒樋Ｂの端部が係合するストッパー片２０が上面に設けられたライニング鋼板２を重合部１ｂ、１ｂよりも奥側の両継手部１ａ、１ａの内面に装着し一体化させて曲り継手Ａを構成する。【選択図】図１
2009275481.tif 000002
【特許請求の範囲】
【請求項１】
家屋の軒先コーナー部において軒樋同士を接続する曲り継手であって、
表面が化粧シートで覆われた樹脂被覆鋼板を折り曲げて、平面視略Ｌ字状に屈曲した底壁と、底壁の内外縁部から上方へ立ち上がった内外側壁とを有し、両端に軒樋が接続される継手部を設けてなる縦断面略Ｕ字状の継手本体を形成し、
この継手本体の前記両継手部の端部に底壁、外側壁及び内側壁の縁部を内側へ折り返してなる重合部を設けるとともに、前記軒樋の端部が係合するストッパー片が上面に設けられたライニング鋼板を前記重合部よりも奥側の両継手部の内面に装着し一体化させた構成を有することを特徴とする軒樋曲り継手。
【請求項２】
継手本体を、底壁の内隅部と外隅部を結ぶ対角線上に樹脂被覆鋼板の端部同士を突き合せた継ぎ目部を位置させて形成し、前記継ぎ目部内面にライニング鋼板を装着した構成を有することを特徴とする請求項１に記載の軒樋曲り継手。
【発明の詳細な説明】
【技術分野】
【０００１】
本発明は、入隅や出隅などの家屋の軒先コーナー部で軒樋同士を接続する軒樋曲り継手に関する。
【背景技術】
【０００２】
近時、家屋の軒先を見栄えの良いものとするために、軒天井や屋根、壁或いは窓枠などと同じ色又は同系色の軒樋を軒先に取り付け、また、軒先コーナー部で軒樋同士を接続する軒樋曲り継手も軒樋と同じ色のものを用いて、軒先を構成する部材を統一した外観色のものに揃えることが行われている。
【０００３】
例えば、軒先の施工において、予め異なる化粧を施した化粧シートを多種類用意しておき、施工現場で建築物の他の構成部材に対応した材質感を持つ化粧シートを選択し、これを軒樋に貼り付けることにより、軒樋を家屋の外壁面と調和のとれた外観のものに加工することが行われている（例えば特許文献１参照）。
【０００４】
また、軒樋から曲り継手を製造する方法として、例えば図６に示されるように、既製の軒樋から一端が平面視略４５度の角度で斜めに切断されてなる一対の継手分割体１０１、１０１を形成し、両分割体を前記斜めの端面同士を突き合わせ、接合部内面側においてアウトサート成形にて形成された樹脂製の接合体１０２を介して固着することにより、一体の曲り継手を構成する方法が知られている（例えば特許文献２参照）。
【０００５】
【特許文献１】特開２００１−１２３５９８号公報
【特許文献２】特開２００６−６３５１９号公報
【発明の開示】
【発明が解決しようとする課題】
【０００６】
前記の如く、軒樋と家屋の外壁面などが調和のとれた色や模様のものに統一してあれば軒先の見栄えは良くなるが、施工現場での軒樋表面を加工する作業は面倒であり、とりわけ軒樋同士を軒先コーナー部で接続する軒樋曲り継手の表面に化粧シートを貼り付ける作業は、曲り継手が屈曲しているため非常に面倒で手間がかかるものであった。また、加工作業に習熟している者でないと品質が一定しないという問題があった。
【０００７】
また、前記一対の継手分割体１０１、１０１を接合して曲り継手を製造する方法は、既製の樹脂製軒樋を用いて成形できる利点があるものの、アウトサート成形による接合工程が煩雑であり、また、樹脂被覆鋼板からなる軒樋には、これを切断すると鋼板の端面が露出して腐蝕し易くなって外観や耐久性の点で問題があるため用いることができない。そもそも、家屋の軒先コーナー部に設置される曲り継手には、軒樋の伸縮に伴う応力が集中するため、二つの継手分割体１０１、１０１を樹脂製の接合体１０２を介して固着するだけでは剛性に乏しく、耐久性に問題がある。
【０００８】
本発明は従来技術の有するこのような問題点に鑑み、軒樋と同じ色や模様で一体に連なった外観形態の曲り継手を樹脂被覆鋼板を用いて見栄えよく構成し、且つ剛性や耐久性に優れた軒樋曲り継手を提供することを課題とする。
【課題を解決するための手段】
【０００９】
前記課題を解決するため本発明の軒樋曲り継手は、家屋の軒先コーナー部において軒樋同士を接続する曲り継手Ａであって、表面が化粧シートで覆われた樹脂被覆鋼板を折り曲げて、平面視略Ｌ字状に屈曲した底壁１１と、底壁１１の内外縁部から上方へ立ち上がった内外側壁１２、１３とを有し、両端に軒樋Ｂが接続される継手部１ａ、１ａを設けてなる縦断面略Ｕ字状の継手本体１を形成し、この継手本体１の前記両継手部１ａ、１ａの端部に底壁１１、外側壁１２及び内側壁１３の縁部を内側へ折り返してなる重合部１ｂ、１ｂを設けるとともに、前記軒樋Ｂの端部が係合するストッパー片２０が上面に設けられたライニング鋼板２を前記重合部１ｂ、１ｂよりも奥側の両継手部１ａ、１ａの内面に装着し一体化させた構成を有することを特徴とするものである。
【００１０】
これによれば、継手部１ａの開口側の底壁１１、外側壁１２及び内側壁１３の端縁がそれぞれ内側に折り返されて重合部１ｂとなっているので、継手部１ａの開口側の見栄えがよくなる。しかも、この重合部１ｂと継手部１ａの内面に装着されたライニング鋼板２によって継手部１ｂが補強されることにより剛性が高まり、耐久性が向上する。また、軒樋曲り継手Ａに軒樋Ｂを接続する際、ライニング鋼板２から立ち上げたストッパー片２０が位置決めとなって、軒樋Ｂの接続位置を一定にすることができる。
【００１１】
また、前記構成において、継手本体１を、底壁１１の内隅部と外隅部を結ぶ対角線上に樹脂被覆鋼板の端部同士を突き合せた継ぎ目部を位置させて形成し、前記継ぎ目部内面にライニング鋼板２、３を装着した構成とすることができる。このようにすると曲り継手Ａの構造が簡易且つシンプルで曲げ加工が容易となり、底壁１１の外側縁に沿って立ち上がる外側壁１２が一体に連続することにより剛性が格段に向上する。
【００１２】
本発明の軒樋曲り継手Ａは、樹脂被覆鋼板の曲げ加工によって形成されるため、従来の樹脂製の曲り継手と比較して、剛性や耐久性が格段に優れたものとなる。また、この軒樋曲り継手Ａは軒樋Ｂと一体となって軒先の装飾効果を発揮するため、高級感を醸し出すことができる。
【発明を実施するための最良の形態】
【００１３】
本発明の好適な一実施形態を図面を参照して説明する。
図１は本発明の一実施形態の軒樋曲り継手を示す斜視図、図２は図１の軒樋曲り継手の展開状態を示す斜視図、図３は継手本体を構成する鋼板の展開図、図４は軒樋の接続方向側から見た軒樋曲り継手の側面図、図５は本発明の他の実施形態の軒樋曲り継手を示す斜視図であり、各図において符号Ａは軒樋曲り継手、Ｂは軒樋を示している。
【００１４】
図１〜図５に示された形態は家屋の軒先コーナー部である出隅に取り付けられる軒樋曲り継手であり、この曲り継手Ａは継手本体１と、継手本体１の内面に装着されるライニング鋼板２からなっている。
【００１５】
継手本体１は、表面が化粧シートで覆われた樹脂被覆鋼板を折り曲げて形成されており、平面視略Ｌ字状の底壁１１と、この底壁１１の外側縁及び内側縁から立ち上がる外側壁１２及び内側壁１３とで縦断面略Ｕ字状の本体部を構成し、その両端に軒樋Ｂの端部外周が接合して接続する継手部１ａ、１ａを形成してある。
【００１６】
さらに詳しくは、図３に展開図で示すように、表面が化粧シートで覆われた樹脂被覆鋼板を所定の形状に裁断し、これを図中の一点鎖線の部分で谷折り、実線部分で山折りすることによって継手本体１が成形される。
すなわち、図４に示されるように、底壁１１の外側縁に沿って外側壁１２、内側縁に沿って内側壁１３をそれぞれ立ち上げて底壁１１に外側壁１２と内側壁１３を一体に連続させ、外側壁１２の上端縁内側に水平方向に突出した前耳係止片１２１を形成し、また、継手部１ａに位置する前耳係止片１２１には、軒樋Ｂの前耳部を上方から包持する係合折曲片１２２が折り曲げ可能に形成してある。また、継手本体１の内側壁１３の上端縁には内側に開口した断面略コ字状の係合溝１３１が形成され、継手部１ａに軒樋Ｂの端部を挿入した際に、軒樋Ｂの後耳部を係合溝１３１で嵌挿できるように設けてある。
【００１７】
両継手部１ａ、１ａの端部には、軒樋Ｂが挿入される開口側の底壁１１、外側壁１２及び内側壁１３の端縁をそれぞれ内側に折り返してなる重合部１ｂ、１ｂが形成されており、この重合部１ｂ、１ｂよりも奥側の継手部１ａ、１ａの内面に、ライニング鋼板２が装着されている。
ライニング鋼板２は、図２に示されるように、第一鋼板２ａと第２鋼板２ｂの二部材から構成されており、継手本体１の第一鋼板２ａは底壁１１と略同形状をなす平板２１の側縁から前記継手部１ａの外側壁１２の内面に重合装着される垂直板２２、２２を立設させるとともに、平板２１と垂直板２２、２２に軒樋Ｂの端部を係止するストッパー片２０をそれぞれ設けてある。また、第二鋼板２ｂは継手本体１の内側壁１３に装着されるＬ字状に屈曲した垂直板２３からなっており、この垂直板２３には前記と同様に軒樋Ｂの端部を係止するストッパー片２０を設けてある。第一鋼板２ａの垂直板２２、２２は継手本体１の外側壁１２の内面にぴったりと重なる高さ、第二鋼板２ｂは継手本体１の内側壁１３の内面にぴったりと重なる大きさにそれぞれ形成してある。
【００１８】
本形態の軒樋曲り継手Ａは、前記樹脂被覆鋼板を折り曲げて継手本体１を形成し、その内面に、表面に接着剤が塗布された前記第一鋼板２ａ及び第二鋼板２ｂを装着して、ライニング鋼板２を継手本体１に固着一体化することにより構成される。継手本体１は、その内隅部と外隅部を結ぶ対角線上に沿って鋼板端部を突き合せた継ぎ目部ができるが、この継ぎ目部はその内面に第一鋼板２ａと第二鋼板２ｂが重合して密閉される。
そして、軒先コーナー部において、曲り継手Ａ両端の継手部１ａ、１ａに、軒先に沿って配された軒樋Ｂ、Ｂの端部をそれぞれ挿入して接続し、さらに、係合折曲片１２２を折り曲げて軒樋Ｂの前耳部を包持し、且つストッパー片２０を軒樋Ｂの端部内面に沿うように折り返すことにより、曲り継手Ａと軒樋Ｂ、Ｂとを強固に固定して接続することができる。予め係合折曲片１２２とストッパー片２０を折り曲げておいてもよい。
【００１９】
図５は本発明の他の実施形態の軒樋曲り継手Ａの展開状態を示し、これは、継手本体１の開口端側の底壁１１、外側壁１２、内側壁１３の各内面に沿って折り曲げられた断面略Ｕ字状のライニング鋼板２ｃを用いて継手本体１に一体化したものである。同図に示されるように、ライニング鋼板２ｃの奥側には軒樋Ｂの端部を係止するストッパー片２０が設けられており、底壁１１の内隅部と外隅部を直線で結ぶ対角線で突き合わせた継ぎ目部の内面に、別の補強用のライニング鋼板３を接着剤を介して接合装着して固定するようになっている。
【００２０】
本発明の軒樋曲り継手Ａにおいて、継手本体１を構成する樹脂被覆鋼板としては、例えば鋼板（厚み、０．３５〜０．４ｍｍ）の表面を耐候性及び耐食性を有する塩ビフィルム（厚み、０．１５〜０．２５ｍｍ）で被覆した「ヒシメタル」（登録商標；三菱樹脂株式会社）などが好適に使用される。塩ビフィルムの表面をさらに耐火性、高耐候性を備えた化粧シートで被覆したものや、鋼板の表面をＰＥＴシートやＰＰシートなどで被覆したものも適宜に使用することができる。ライニング鋼板２、３は、継手本体１を構成する樹脂被覆鋼板と同様のものを使用することができるが、これに限定されず、耐候性や耐食性を備えた他の素材の鋼板を用いてもよい。
【００２１】
なお、以上の説明では本発明を外曲りに適用した形態を図示したが、内曲りに適用できることは無論である。継手本体１の継手部１ａ、１ａは、接続する軒樋Ｂ、Ｂの断面形状に対応して、軒樋Ｂの端部が接合する形状に形成される。また、継手本体１とライニング鋼板２、３と接合縁部にはコーキング剤を塗布するなどの防水処理が適宜に施される。
【図面の簡単な説明】
【００２２】
【図１】本発明の一実施形態の軒樋曲り継手を示す斜視図である。
【図２】図１の軒樋曲り継手の展開状態を示す斜視図である。
【図３】図１の軒樋曲り継手の継手本体を構成する鋼板の展開図である。
【図４】軒樋の接続方向側から見た軒樋曲り継手の側面図である。
【図５】本発明の他の実施形態の軒樋曲り継手を示す斜視図である。
【図６】従来の軒樋曲り継手の平面図である。
【符号の説明】
【００２３】
Ａ  軒樋曲り継手、Ｂ  軒樋、１  継手本体、１１  底壁、１２  外側壁、１３  内側壁、１ａ  継手部、１ｂ  重合部、２  ライニング鋼板、２０  ストッパー片、２１  平板、２２、２３  垂直板、２ａ  第一鋼板、２ｂ  第２鋼板、２ｃ  ライニング鋼板、３  ライニング鋼板
【図１】
2009275481.tif 000003
【図２】
2009275481.tif 000004
【図３】
2009275481.tif 000005
【図４】
2009275481.tif 000006
【図５】
2009275481.tif 000007
【図６】
2009275481.tif 000008